(57)【特許請求の範囲】
【請求項１】
横樋の長手方向を横断する基底板の左右端縁に、落ち葉等の流入を阻止して雨水を流入させる左右端部足歯を相互に所要の間隔を存して接続し、また、横樋の長手方向と平行する基底板の前後の前後側縁に、落ち葉等の流入を阻止して雨水を流入させる前後側部足歯を相互に所要の間隔を存して接続し、基底板を横樋の内面と所要の間隔を存して上方に対面して配備可能に設け、基底板には、上下に貫通して落ち葉等の流入を阻止して雨水を流下させる基底板排水孔を所要に配列して設け、かつ、基底板の上面に、落ち葉等を縦向きに整列し、かつ、その通過を阻止し、風を整風し、風力による乾燥と一掃を図る起立整列整風流路板を、横樋の長手方向と平行に、かつ相互に所要の間隔を存して所要枚数を列設してなる雨樋用落葉詰まり防止装置。
【請求項２】
起立整列整風流路板は、左右の端縁を所要角の上昇傾斜縁に形成してなる請求項１の雨樋用落葉詰まり防止装置。
【請求項３】
夫々の起立整列整風流路板は、中央の頂縁を基底板の板面と平行に設け、その頂縁と一体に天板により接続してなる請求項２の雨樋用落葉詰まり防止装置
【請求項４】
横樋の内面と所要の間隔を存して上方に対面して配備可能な基底板に、傾斜面で落ち葉等をすくい上げて流入を阻止して雨水を流入させる傾斜面の左右端部足歯と、落ち葉等の流入を阻止して雨水を流入させる前後側部足歯を所要の間隔で接続して本体下部排水口を配備し、その基底板には、上下に貫通して落ち葉等の流入を阻止して雨水を流下させる基底板排水孔を所要に配列して設け、かつ、基底板の上面に、落ち葉等を縦向きに整列し、かつ、その通過を阻止し、風を整風し、風力による乾燥と一掃を図る起立整列整風流路板を、横樋の長手方向と平行に、かつ相互に所要の間隔を存して所要枚数を列設して本体上部排水口を設けてなる雨樋用落葉詰まり防止装置。
【請求項５】
本体下部排水口を構成する左右端部足歯等の先端を切断して丸型、角型および樋幅の大小等のサイズに適合してなる請求項１、請求項２、請求項３または請求項４の雨樋用落葉詰まり防止装置。
【請求項６】
本体下部排水口を構成する傾斜面の左右端部足歯の内面または外面もしくはその他に、丸型横樋の一般的通用サイズの大小二種に適合する丸型大径横樋用左切断表示線および丸型大径横樋用右切断表示線と、角型横樋に適合する角型横樋用左切断表示線および角型横樋用右切断表示線を表示してなる請求項１、請求項２、請求項３または請求項４の雨樋用落葉詰まり防止装置。
【請求項７】
起立整列整風流路板間に風力排除板を配備してなる請求項１、請求項２、請求項３、請求項４、請求項５または請求項６の雨樋用落葉詰まり防止装置。
【請求項８】
軸受板と、上縁に支軸を配備した風力排除板を設け、その軸受板を起立整列整風流路板に接着し、軸受板の軸受孔の夫々に支軸を遊嵌合し、風力排除板を揺動自在に後付け配備してなる請求項１、請求項２、請求項３、請求項４、請求項５または請求項６の雨樋用落葉詰まり防止装置。
【発明の詳細な説明】
【０００１】
【発明が属する技術分野】
この発明は、雨樋に溜り排水を妨げる樹木の落葉等が、縦樋との接続部付近に溜り雨水の排水を妨げるので、その雨樋用落葉詰まり防止装置に関する。
【０００２】
【従来の技術】
従来、雨樋全体に金網を被覆する方法、縦樋との接続部分を金網で囲む方法、陸屋根では、屋根全体に網を張る方法などが提案されている。すなわち、縦樋を詰まらせないために、現在使用されているものは、網によるものであり、これらは落ち葉が一箇所の排水口に集まってしまい重なり合って排水口を塞いでしまうものである。その結果、雨樋に溜まった雨水と落ち葉が腐敗して廃土となり、やがてその繰返しで雨樋全体が土で埋まってしまうものである。
【０００３】
【発明が解決しようとする課題】
しかるに、前記従来の方法では、縦樋との接続付近の落葉詰まりを防止することができなかった。このため、縦樋が詰まるのを防ぐためには、定期的に掃除をしなければならない。しかし、２階以上の屋根は危険なため専門業者に依頼することがほとんどである。
【０００４】
この発明は、従来の発想とは根本的に異なり、落ち葉をできるだけそのままの状態で排水口を塞がないよう雨水を流すことにより落ち葉は多量の水を含まず、一般に日当たりと風通しの良い雨樋で落ち葉を自然乾燥をさせることにより人手によらず、乾いた落ち葉は風により一掃して外方に落としてしまおうとするものである。
【０００５】
【課題を解決するための手段】
横樋の長手方向を横断する基底板の左右端縁に、落ち葉等の流入を阻止して雨水を流入させる左右端部足歯を相互に所要の間隔を存して接続し、また、横樋の長手方向と平行する基底板の前後の前後側縁に、落ち葉等の流入を阻止して雨水を流入させる前後側部足歯を相互に所要の間隔を存して接続し、基底板を横樋の内面と所要の間隔を存して上方に対面して配備可能に設け、基底板には、上下に貫通して落ち葉等の流入を阻止して雨水を流下させる基底板排水孔を所要に配列して設け、かつ、基底板の上面に、落ち葉等を縦向きに整列し、かつ、その通過を阻止し、風を整風し、風力による乾燥と一掃を図る起立整列整風流路板を、横樋の長手方向と平行に、かつ相互に所要の間隔を存して所要枚数を列設してなる雨樋用落葉詰まり防止装置にある。
【０００６】
起立整列整風流路板は、左右の端縁を所要角の上昇傾斜縁に形成してもよいものである。
【０００７】
夫々の起立整列整風流路板は、中央の頂縁を基底板の板面と平行に設け、その頂縁と一体に天板により接続してもよいものである。
【０００８】
横樋の内面と所要の間隔を存して上方に対面して配備可能な基底板に、傾斜面で落ち葉等をすくい上げて流入を阻止して雨水を流入させる傾斜面の左右端部足歯と、落ち葉等の流入を阻止して雨水を流入させる前後側部足歯を所要の間隔で接続して本体下部排水口を配備し、その基底板には、上下に貫通して落ち葉等の流入を阻止して雨水を流下させる基底板排水孔を所要に配列して設け、かつ、基底板の上面に、落ち葉等を縦向きに整列し、かつ、その通過を阻止し、風を整風し、風力による乾燥と一掃を図る起立整列整風流路板を、横樋の長手方向と平行に、かつ相互に所要の間隔を存して所要枚数を列設して本体上部排水口を設けてなる雨樋用落葉詰まり防止装置としてもよいものである。
【０００９】
本体下部排水口を構成する左右端部足歯等の先端を切断して丸型、角型および樋幅の大小等のサイズに適合してもよいものである。
【００１０】
本体下部排水口を構成する傾斜面の左右端部足歯の内面または外面もしくはその他に、丸型横樋の一般的通用サイズの大小二種に適合する丸型大径横樋用左切断表示線および丸型大径横樋用右切断表示線と、角型横樋に適合する角型横樋用左切断表示線および角型横樋用右切断表示線を表示してもよいものである。
【００１１】
起立整列整風流路板間に風力排除板を配備してもよいものである。
【００１２】
軸受板と、上縁に支軸を配備した風力排除板を設け、その軸受板を起立整列整風流路板に接着し、軸受板の軸受孔の夫々に支軸を遊嵌合し、風力排除板を揺動自在に後付け配備してもよいものである。
【００１３】
【発明の実施の形態】
横樋の内面と対応して長方形の基底板の左右端縁に、傾斜面で落ち葉等をすくい上げて雨水を流入させる左右端部足歯を相互に所要の間隔を存して接続し、また、基底板の前後の前後側縁に、落ち葉等の流入を阻止して雨水を流入させる前後側部足歯を相互に所要の間隔を存して接続し、基底板を横樋の内面と所要の間隔を存して上方に対面して配備可能に設け、基底板には、上下に貫通して落ち葉等の流入を阻止して雨水を流下させる基底板排水孔を所要に配列して設け、かつ、基底板の上面に、落ち葉を縦向きに整列し、かつ、その通過を阻止する起立整列整風流路板を、左右の端縁を上昇傾斜縁に形成し、中央頂縁を基底板の板面と平行に設け、さらに、夫々の頂縁と一体に天板を接続してなる雨樋用落葉詰まり防止装置。
【００１４】
【実施例】
以下、この発明の雨樋用落葉詰まり防止装置を、図面の図１〜図９に示す実施例の雨樋用落葉詰まり防止装置１（以下本装置１という）により説明すると、横樋２の内面２ａと対応して長方形の基底板３の左端縁３ａと右端縁３ｂに、傾斜面で落ち葉等をすくい上げて雨水を流入させる左端部足歯４ａと右端部足歯４ｂを相互に所要の間隔を存して接続し、また、基底板３の前後の前側縁３ｃと後側縁３ｄに、落ち葉等の流入を阻止して雨水を流入させる前側部足歯４ｃと後側部足歯４ｄを相互に所要の間隔を存して接続して、基底板３を横樋２の内面２ａと所要の間隔を存して上方に対面して配備可能に設け、基底板３には、上下に貫通して落ち葉等の流入を阻止して雨水を流下させる基底板排水口５を所要に配列して設け、かつ、基底板３の上面に、落ち葉を縦向きに整列し、かつ、その通過を阻止する起立整列整風流路板６を、横樋２の長手方向と平行に、かつ相互に所要の間隔を存して所要枚数を列設してなるものである。
【００１５】
前記起立整列整風流路板６は、左右の端縁を上昇傾斜縁６ａ、６ｂに形成し、頂縁６ｃを基底板３の板面と平行に設け、さらに、夫々の起立整列整風流路板６の頂縁６ｃと一体に天板７により接続している。
【００１６】
本装置１は、前述のように構成されるから、図６に示すように、横樋２の内面２ａに、例えば、基底板３の左端縁３ａと右端縁３ｂに接続する左端部足歯４ａと右端部足歯４ｂの下端を接着剤により接着し、横樋２と本装置１を一体に固着する。図示しないが、本装置１の取付け構造については、前記構造に限定するものではない。例えば、第１は、前側部足歯４ｃと後側部足歯４ｄの一部を延長し、この延長部を横樋２に挟持する取付金具により本装置１を横樋２に固着する。第２は、天板７に取付金具を接続して本装置１を横樋２に固着する等である。
【００１７】
横樋２に固着した本装置１は、例えば、図７に示すように、雨水の量がＬ１の時には、左端部足歯４ａ（右端部足歯４ｂ）により構成される左端面排水口８ａ（右端面排水口８ｂ）より雨水は流入し、この状態では、落ち葉が水面上に浮かび、水圧を受けることなく、したがって、この左端面排水口８ａ（右端面排水口８ｂ）は落ち葉により塞がれることがなく、良好な通水を維持することができるのである。
【００１８】
次に、雨水の量がＬ２の時には、前記縦長の左端面排水口８ａ（右端面排水口８ｂ）に加えて、前側部足歯４ｃと後側部足歯４ｄにより構成される所要の前側面排水口８ｃと後側面排水口８ｄより雨水は排水する。落ち葉の多くは、前記左端部足歯４ａ（右端部足歯４ｂ）で流入を阻止されているが、前側面排水口８ｃと後側面排水口８ｄに流れて来た場合でも、前側部足歯４ｃと後側部足歯４ｄは垂下しているから、落ち葉は縦向きになるため前側面排水口８ｃと後側面排水口８ｄを塞ぐことがなく、よって、この箇所においても良好な通水を維持することができるのである。そして、前記左端面排水口８ａ（右端面排水口８ｂ）および前側面排水口８ｃと後側面排水口８ｄにより本体下部排水口８を構成するものである。
【００１９】
更に、雨水の量が前記Ｌ２を越えてＬ３の時には、前記左端面排水口８ａ（右端面排水口８ｂ）および前記前側面排水口８ｃと後側面排水口８ｄの本体下部排水口８に加えて、基底板３の上に流入し、基底板３の基底板排水口５と起立整列整風流路板６により構成される本体上部排水口９から流下する。本体上部排水口９は、落ち葉等の流入を阻止するが、落ち葉の一部は内部へ流入するが、落ち葉が縦向に整列するため、本体上部排水口９を全面的に塞ぐことがなく、通水を維持することができる。そして、この雨水の量がＬ３の時には、縦樋から流しきれない流量であり、水面に浮上する落ち葉は、横樋２から外に溢れだして横樋２の内部に滞留することがないのである。
【００２０】
前述のように、雨水の量がＬ３の時には、起立整列整風流路板６の間に雨水が流入し、落ち葉の一部が侵入するが、落ち葉は縦向に整列し、しかも、横樋２の内面より上方の空間に位置するから、日当たりで乾燥され、起立整列整風流路板６間の整風により外に一掃され、自然に清掃されるものである。
【００２１】
横樋２の流出口２ｂと本装置１の取付け位置の関係は、本装置１内に横樋２の流出口２ｂを配置することにより行うが、図６に示すように、流出口２ｂに対して流入側にずらして配置することにより本装置１の下部排水口８と上部排水口９を幅広くとることができ、内部への流水量を多くし、内部の流れをスムーズにして本装置１内に侵入した小さな落ち葉等を排出することができるものである。
【００２２】
市販される横樋は、形状が丸型と角型の二種と、樋幅の大小等、サイズが種々あるから、夫々の横樋の内面に適合する左端部足歯４ａ、右端部足歯４ｂと前側部足歯４ｃ、後側部足歯４ｄを形成する場合と、ワンサイズで構成し、左端部足歯４ａ、右端部足歯４ｂの下端および必要によっては前側部足歯４ｃ、後側部足歯４ｄの下端を切断し、丸型、角型および大小のサイズに適合させることができる。
【００２３】
図２および図４に示すように、ワンサイズで構成した本装置１の左端部足歯４ａ、右端部足歯４ｂの夫々の内面に、丸型横樋の一般的通用サイズの大小二種に適合する丸型大径横樋用左切断表示線１０ａ１および丸型大径横樋用右切断表示線１０ｂ１と、角型横樋に適合する角型横樋用左切断表示線１０ａ２および角型横樋用右切断表示線１０ｂ２を成型表示して、それらの丸型大径横樋用左右切断表示線１０ａ１および丸型大径横樋用左右切断表示線１０ｂ１と、角型横樋用左切断表示線１０ａ２および角型横樋用右切断表示線１０ｂ２を選択切断することにより本装置１の左端部足歯４ａと右端部足歯４ｂの下端を対応させて横樋の湾曲内面に連接できるように形成している。前記切断表示線に適合しない場合は、大径側の切断表示線を参考にして切断することができるから、切断表示線を市販製品の全部に対応させる必要はない。図示しないが、同様に、前側部足歯４ｃと後側部足歯４ｄの内面に切断表示線を表示してもよいものである。勿論、切断表示線は、左端部足歯４ａ、右端部足歯４ｂと前側部足歯４ｃ、後側部足歯４ｄの外面でよいものである。実施例として図示しないが、その他の箇所に表示してももよいものである。
【００２４】
前記本装置１の角型横樋用左切断線１０ａ２および角型横樋用右切断線１０ｂ２にしたがってその左端部足歯４ａと右端部足歯４ｂを切断して角型横樋用落葉詰まり防止装置１１（以下、角型横樋用本装置１１という）を設け、これを図３のＡ−Ａ線で本装置１を縦断したと同様に断面してものが、図８に示すものである。この角型横樋用本装置１１を角型横樋１２にセットした状態が図９に示すものである。このように、本装置１は容易に角型横樋に適合することができるのである。
【００２５】
図１０に示すように、軸受板１３と、上縁に支軸１４を配備した風力排除板１５を設け、その軸受板１３を本装置１の前後の外側縁に配備される起立整列整風流路板６における頂縁６ｃの外面に接着し、軸受板１３の軸受孔１３ａの夫々に支軸１４を揺動自在に遊嵌合し、起立整列整風流路板６間に侵入する落ち葉を風力で外方に排除できるようにしてもよいものである。この説明は、後付けの場合を説明したが、本装置１を製造する際に軸受部を一体に成型し、風力排除板１５を配備して出荷してもよいものである。前記のように、本装置１の左右端部足歯４ａ、４ｂを角型横樋用左右切断線１０ａ２、１０ｂ２にしたがってその切断して角型横樋用本装置１１に構成した場合においても、風力排除板１５を後付けまたは先付けで設けることができることは勿論である。
【００２６】
【発明の効果】
この発明の雨樋用落葉詰まり防止装置は、以上のように、横樋の流出口に対して排水口を下部排水口と上部排水口の二段階にして、排水口を多く設け、水量と水圧を分散し、落ち葉により排水口を塞さがれないようにし、スムーズな排水を行えるようにしたものである。また、各々の排水口の形状を変えることにより設置状況および大小様々な落ち葉に対応できるようにしたものである。
【００２７】
また、この発明の雨樋用落葉詰まり防止装置の底面と横樋との間に間隙を設けることにより設置されている一般雨樋の排水口を加工することなく、後付けできるようにしたものである。
【００２８】
また、この発明の雨樋用落葉詰まり防止装置の左右端部足歯および必要によっては前後側部足歯を切断することにより調整し、丸横樋、角横樋およびそのサイズの大小に対して施工ができ、汎用性が高いものである。
【００２９】
この発明の雨樋用落葉詰まり防止装置を設置することにより落葉は通常乾燥した状態にあり、風により本装置上に吹き上げられた落葉等は大部分が地上に落下するため横樋の清掃装置としての働きをするものである。また、本装置が左右対称の形をしているのもデザインや設置の際の向きの誤りをなくす事だけでなく清掃の目的である。
また、一般家庭の雨樋では、雨水の流入方向の半分のみの対応で十分で、本装置を通過する雨水はない。従って工場等の大型の雨樋でも流出口を本装置に合う様にすれば小型でありながら十分に対応できるものである。
【００３０】
よって、横樋を縦樋に接続する接続部分およびその付近において落ち葉による目詰まりを起こすことがない画期的な雨樋用落葉詰まり防止装置を、簡単な構造で、安価に提供することができるものである。
【図面の簡単な説明】
【図１】この発明の実施例である雨樋用落葉詰まり防止装置を上方から見た斜視図である。
【図２】同じく、下方から見た斜視図である。
【図３】同じく、平面図である。
【図４】同じく、底面図である。
【図５】同じく、図３のＡ−Ａ線に沿う縦断面図である。
【図６】この発明の実施例である雨樋用落葉詰まり防止装置を丸型横樋に設置した状態を説明する平面図である。
【図７】同じく、その丸型横樋に設置した状態において水の流水水位を示す一部切り欠き横断面説明図である。
【図８】同じく、この発明の実施例である雨樋用落葉詰まり防止装置を角樋用に切断した状態の縦断面図である。
【図９】同じく、角樋用に切断した雨樋用落葉詰まり防止装置を角型横樋に設置した状態を示す一部切り欠き横断面説明図である。
【図１０】同じく、その実施例である雨樋用落葉詰まり防止装置を風力清掃板付き雨樋用落葉詰まり防止装置に変換する風力清掃板装置の分解斜視図である。
【図１１】同じく、風力清掃板装置付き雨樋用落葉詰まり防止装置の中央縦断面図である。
【符号の説明】
１  雨樋用落葉詰まり防止装置
２  横樋
２ａ  内面
２ｂ  流出口
３  基底板
３ａ  左端縁
３ｂ  右端縁
３ｃ  前側縁
３ｄ  後側縁
４ａ  左端部足歯
４ｂ  右端部足歯
４ｃ  前側部足歯
４ｄ  後側部足歯
５  基底板排水口
６  起立整列整風流路板
６ａ  左上昇傾斜縁
６ｂ  右上昇傾斜縁
６ｃ  頂縁
７  天板
８  本体下部排水口
８ａ  左端面排水口
８ｂ  右端面排水口
８ｃ  前側面排水口
８ｄ  後側面排水口
９  本体上部排水口
１０ａ１  丸型大径横樋用左切断表示線
１０ｂ１  丸型大径横樋用右切断表示線
１０ａ２  角型横樋用左切断表示線
１０ｂ２  角型横樋用右切断表示線
１１  角型雨樋用落葉詰まり防止装置
１２  角型横樋
１３  軸受板
１３ａ  軸受孔
１４  支軸
１５  風力排除板
【図１】
0003728730.tif 000002
【図２】
0003728730.tif 000003
【図３】
0003728730.tif 000004
【図４】
0003728730.tif 000005
【図５】
0003728730.tif 000006
【図６】
0003728730.tif 000007
【図７】
0003728730.tif 000008
【図８】
0003728730.tif 000009
【図９】
0003728730.tif 000010
【図１０】
0003728730.tif 000011
【図１１】
0003728730.tif 000012